(57)【要約】【課題】飛距離が伸びて、スウィング方向への飛球方向の正確性が高くなるゴルフクラブヘッドを提供する。【解決手段】実施形態のゴルフクラブヘッド１Ａは、中空１９内でヘッドの重心を変位可能とするための錘部２ａと、弾力性を有する素材が用いられて棒状に形成されて錘部２ａに接続される錘首部３ａと、錘首部３ａの錘部２ａに接続された側と他方の側に接続されて錘部２ａおよび錘首部３ａを支持する支持部４ａと、フェースの壁面側と対向する壁面側に支持部４ａを固定する固定部５ａと、を有するターゲットスタビライザー１０Ａを備える。ターゲットスタビライザー１０Ａは、ゴルフボールがフェース面で打接された場合に、中空１９内で振り子動作可能である。【選択図】図１
2018143705.tif 000002
【特許請求の範囲】
【請求項１】
中空又は空孔が設けられるゴルフクラブへッドにおいて、
前記中空又は空孔内で前記ゴルフクラブヘッドの重心を変位可能とするための錘部と、
弾力性を有する素材が用いられて棒状に形成され、前記錘部に接続される錘首部と、
前記錘首部の前記錘部に接続された側と他方の側に接続され、前記錘部および前記錘首部を支持する支持部と、
ゴルフボールを打接するフェース面側と対向する面側に設けられ、前記支持部を当該面側に固定する固定部と、を有するターゲットスタビライザーを備え、
前記ゴルフボールが前記フェース面で打接された場合に、前記ターゲットスタビライザーが前記中空又は空孔内で振り子動作可能である
ことを特徴とするゴルフクラブへッド。
【請求項２】
前記錘部は、前記中空又は空孔内における前記錘部の重心の位置を可変となるように前記錘首部の長手方向に沿って貫通孔が設けられた
ことを特徴とする請求項１に記載のゴルフクラブへッド。
【請求項３】
前記フェース面に対して、前記錘首部の前記棒状の軸線が傾斜している
ことを特徴とする請求項１又は請求項２に記載のゴルフクラブへッド。
【請求項４】
前記フェース面側と対向する面側と前記支持部とは、前記フェース面側と対向する面側の垂直方向の軸を中心として回転対称に取り付けおよび固定可能なように、当該回転対称の位置決めを複数の区分の凹凸形状による嵌合で定める
ことを特徴とする請求項３に記載のゴルフクラブへッド。
【請求項５】
前記錘部、前記錘首部および前記支持部が前記中空又は空孔内に挿入可能な、前記フェース面側と対向する面側の壁面構造に貫通孔が設けられ、
前記固定部は、前記貫通孔が設けられた前記壁面構造に螺合可能に固定される
ことを特徴とする請求項１乃至請求項４のいずれか一項に記載のゴルフクラブへッド。
【請求項６】
前記錘首部の前記弾力性を有する素材は、チタン又はチタン合金からなる
ことを特徴とする請求項１乃至請求項５のいずれか一項に記載のゴルフクラブへッド。
【発明の詳細な説明】
【技術分野】
【０００１】
本発明は、ゴルフクラブに用いられるゴルフクラブヘッドに関するものである。
【背景技術】
【０００２】
通常、ゴルフクラブに使用されているゴルフクラブヘッドは、例えば木製（パター、アイアンを除く）、カーボン製、チタン製などが主な素材であり、木製を除く他の素材製には、ほぼすべて中空構造のため、ゴルフクラブヘッド自体の撓み、歪などの振動により音が発生し、音、振動等によりエネルギーを無駄に発散している。
【０００３】
なお、フェース部の背面側にばね体を介して錘を設け、フェース部でボールをヒットした際に、錘がフェース部に、ばね体の振動に起因する力を与えるようにしたゴルフクラブヘッドなどが知られている（例えば、特許文献１を参照）。
【先行技術文献】
【特許文献】
【０００４】
【特許文献１】特開２００８−３０７１４７号公報
【発明の概要】
【発明が解決しようとする課題】
【０００５】
例えば、ゴルフクラブヘッドの中空構造に、ウレタンなどの共振を抑えるための物質を封入したものもあるが、エネルギーを集中させることはできない。また、ゴルフクラブヘッドの中空構造のため、撓み、歪などが発生した場合には、ゴルフクラブヘッドの重心が定まらず、打ったゴルフボールの飛球方向が不安定となりやすい。
【０００６】
また、例えばゴルフクラブヘッドでは、スィートスポットを外した時に、その衝撃によりゴルフクラブヘッドが回転し、ボールの飛距離があまりでなかったり、飛球方向が思わぬ方向に行ったりすることが多くなる。このため、ゴルフクラブヘッドを大きくして、ミスショット時の飛距離の低下と、ボールの曲がりを少なくする等の効果を目的として、ゴルフクラブヘッドの大きいクラブを用いるゴルファー（ゴルフプレヤー）も多い。
【０００７】
しかしながら、ゴルフクラブヘッドの大きな場合には、上記のようなミスには強くなるものの、ネックを中心にした回転がしにくくなるという面もあるため、ゴルフボールのインパクトの瞬間において、スウィング方向に対してゴルフクラブヘッドのフェースが戻りきらずに、フェースが開いた状態で当たりやすいという問題がある。そうすると、ゴルフボールが右方向へスライスして飛びやすいという問題もある。
【０００８】
ここで、図１４を参照して、従来のゴルフクラブヘッド１００における飛球方向ＤＩＲ２００の課題を説明する。図１４において、ゴルフクラブヘッド１００によるスウィング方向ＤＩＲ１００とフェース部１１０のフェース面の向きとが、ゴルフボール９０に当たる瞬間に垂直にならずにやや傾いた場合に（フェース面が開き気味の角度とする）、ゴルフボール９０の飛球方向ＤＩＲ２００を示すものである。
【０００９】
ここで、図１４に示すゴルフクラブへッド１００は、フェース部１１０、リア部１２０、クラウン部１３０、ソール部１４０等による壁面構造で囲まれ、中空が設けられる構造である。また、ゴルフクラブへッド１００には、ゴルフクラブのシャフト３３０、ネック３１０等も示している。
【００１０】
ゴルフクラブヘッド１００には慣性力Ｆ１００と、ゴルフボール９０の当たる瞬間の反発力Ｆ２００とが作用する。ゴルフクラブヘッド１００は、このゴルフボール９０の当たる瞬間に、さらにゴルフクラブヘッド１００の重心ＧHを中心として、ゴルフボール９０の衝突力による回転Ｒ２００が作用する。これにより、フェース部１１０のフェース面の向きが、さらに回転Ｒ２００の方向に傾くようになるため、ゴルフボール９０の飛球方向ＤＩＲ２００はスウィング方向ＤＩＲ１００と大きくずれた飛球方向となってしまう。
【００１１】
以上のようなことは、ゴルフクラブヘッド１００が中空構造の場合には、さらに撓み、歪などが発生しやすくなるため、図１４に示す重心ＧＨが定まらず、さらに打ったゴルフボール９０の飛球方向ＤＩＲ２００が不安定となりやすい原因ともなる。
【００１２】
一方、ゴルフクラブヘッドが木製のものは、方向性はよいものの、飛距離が伸びないなどの課題もある。
【００１３】
本発明は、このような問題点に鑑みてなされたもので、飛距離が伸びて、スウィング方向への飛球方向の正確性が高くなるゴルフクラブヘッドを提供するものである。
【課題を解決するための手段】
【００１４】
上記課題を解決するために、本発明に係るゴルフクラブへッドは、中空又は空孔が設けられるゴルフクラブへッドである。当該ゴルフクラブへッドは、前記中空又は空孔内で前記ゴルフクラブヘッドの重心を変位可能とするための錘部と、弾力性を有する素材が用いられて棒状に形成され、前記錘部に接続される錘首部と、前記錘首部の前記錘部に接続された側と他方の側に接続され、前記錘部および前記錘首部を支持する支持部と、ゴルフボールを打接するフェース面側と対向する面側に設けられ、前記支持部を当該面側に固定する固定部と、を有するターゲットスタビライザーを備えている。当該ゴルフクラブへッドにおいて、前記ゴルフボールが前記フェース面で打接された場合に、前記ターゲットスタビライザーが前記中空又は空孔内で振り子動作可能であることを特徴とする。
【発明の効果】
【００１５】
例えば長年ゴルフをしているのに、スコアが伸びないゴルファーなどのために、同じタイミング、同じスウィングで飛距離が伸びて、スウィング方向への飛球方向の正確性が高くなる。これにより、ゴルファーはスコアアップが期待できる。
【００１６】
本発明に係るゴルフクラブヘッドによれば、飛距離が伸びて、スウィング方向への飛球方向の正確性が高くなる。
【図面の簡単な説明】
【００１７】
【図１】本発明に係るゴルフクラブヘッドの第１の実施形態の構成を示す斜視図である。
【図２】図１に示すＸ−Ｘ矢視線断面図である。
【図３】第１の実施形態のゴルフクラブヘッドに備えられるターゲットスタビライザーの取り付けを説明する図である。
【図４】図１に示すターゲットスタビライザーの振り子動作の変位を説明する図である。
【図５】第１の実施形態のゴルフクラブヘッドのスウィング時における動作を説明する図である。
【図６】第１の実施形態のゴルフクラブヘッドのインパクト時における動作を説明する図である。
【図７】本発明では採用できないゴルフクラブヘッドのインパクト時における動作を説明する図である。
【図８】第２実施形態のゴルフクラブヘッドの構成を示す斜視図およびＸＩ−ＸＩ矢視線断面図である。
【図９】第２の実施形態のゴルフクラブヘッドのスウィング時およびインパクト時における動作を説明する図である。
【図１０】第３の実施形態のゴルフクラブヘッドの構成を示す斜視図およびＸＩＩ−ＸＩＩ矢視線断面図である。
【図１１】第３の実施形態のゴルフクラブヘッドに備えられるターゲットスタビライザーの構造および取り付けを説明する拡大図である。
【図１２】第３の実施形態のゴルフクラブヘッドに備えられるターゲットスタビライザーの取り付け位置と錘部の重心位置を可変可能であることを説明する図である。
【図１３】第４の実施形態のゴルフクラブヘッドの構成を示す斜視図である。
【図１４】従来のゴルフクラブヘッドにおける飛球方向の課題を説明する図である。
【発明を実施するための形態】
【００１８】
以下、本発明に係る実施形態のゴルフクラブへッドについて、図面を参照して具体的に説明する。ここで、互いに同一または類似の部分には共通の符号を付して、重複説明は省略する。
【００１９】
［第１の実施形態］
以下、本発明に係るゴルフクラブへッドの第１の実施形態の構成について、図１乃至図６を用いて説明する。なお、図７は、本発明に係るゴルフクラブヘッドの構成ではないゴルフクラブへッドのインパクト時における動作を説明する図である。
【００２０】
ここで、図１は、本発明に係るゴルフクラブへッド１Ａの第１の実施形態の構成を示す斜視図である。図２は、図１に示すゴルフクラブへッド１ＡのＸ−Ｘ矢視線断面図である。また、図３は、図１に示すゴルフクラブヘッドに備えられるターゲットスタビライザーの取り付けを説明する図である。その他の図については、以降において、適宜説明する。
【００２１】
第１の実施形態のゴルフクラブへッド１Ａは、図１乃至図３に示すように、中空１９が設けられるゴルフクラブへッドであり、中空１９内にターゲットスタビライザー１０Ａを備えている。
【００２２】
ゴルフクラブへッド１Ａは、フェース部１１、リア部１２、クラウン部１３、ソール部１４、サイド部１５による壁面構造で囲まれ、中空１９が設けられる構造である。なお、図１等に示すゴルフクラブへッド１Ａには、シャフト３３に接続されるシャフト接続部３２と、シャフト接続部３２を囲むネック３１等も示している。
【００２３】
ターゲットスタビライザー１０Ａは、フェース部１１側の壁面以外の壁面に固定される。好ましくは、フェース部１１側の壁面と対向する壁面側に固定される。
【００２４】
ターゲットスタビライザー１０Ａは、フェース部１１のフェース面側を基準にして、スウィング動作時に中空１９内で振り子動作する。このために、ターゲットスタビライザー１０Ａは、図１乃至図３に示すように、錘部２ａと、錘首部３ａと、支持部４ａと、固定部５ａとを有する。
【００２５】
錘部２ａは、中空１９内でゴルフクラブヘッド１Ａの重心ＧＷを変位可能となるように、錘首部３ａに接続され、支持される。錘部２ａは、例えば金、タングステン等の小さい形状で、質量の大きい錘で形成される。錘部２ａには、例えば、数ｇ〜数十ｇの質量の錘が使用される。なお、これらの重さは、プレーヤーごとに、プレーヤーの体力、ゴルフ経験歴、プレーヤーのゴルフクラブの使用感等により選択されてもよい。
【００２６】
ここで、図４に、図１に示すターゲットスタビライザー１０Ａの振り子動作の変位を示す。図４において、錘部２ａ自体の重心ＧＷＪを示し、振り子動作に応じた錘部２ａの重心ＧＷＪの変位をΔＧＷＪとして示すものである。
【００２７】
錘首部３ａは、弾力性を有する素材が用いられて棒状に形成され、長手方向の一端側が支持部４ａに接続され、他端側が錘部２ａに接続される。錘首部３ａは、支持部４ａを支点側とし、また、錘部２ａを先端側として、図４に示すように、弧状のしなりを形成するように揺れ動き可能である。
【００２８】
錘首部３ａには、弾力性を有する素材が用いられる。錘首部３ａの材質は、例えば弾力・復元力を有するチタン又はチタン合金などである。弾力性を有するだけでなく、例えば、チタンの比重は、鉄とアルミの中間程度の軽い金属であり、また、チタンの比重が軽い割に、チタンの強度が高いためである。
【００２９】
例えば、錘部２ａおよび錘首部３ａにおける揺れ動きの変位ΔＧＷＪは、図４に示すように、フェース面を基準にした場合、後述するようなゴルフクラブの開き気味のスウィング動作、又は、かぶり気味のスウィング動作に対して、錘首部３ａの棒状の長手方向に沿った軸線に対して、略円弧状の変位ΔＧＷＪであり、この変位ΔＧＷＪは主に略垂直方向への変位である。
【００３０】
支持部４ａは、錘首部３ａの錘部２ａに接続された側と他方の側に接続され、錘部２ａおよび錘首部３ａを振り子動作可能なように支持する。支持部４ａは、一端側が固定部５ａに接続又は固定される。
【００３１】
固定部５ａは、ゴルフボール９を打接するフェース部１１のフェース面側以外の面側の壁面に設けられる。好ましくは、固定部５ａは、ゴルフボール９を打接するフェース面側と対向する面側に設けられ、支持部４ａを当該面側に固定する。すなわち、図１乃至図６に示すように、固定部５ａおよび支持部４ａは、リア部１２の壁面側に設けられる。
【００３２】
固定部５ａは、貫通孔１２１が設けられた壁面構造（リア部１２）に螺合可能に固定される。固定部５ａは、貫通孔１２１に螺合可能に取り付けられ、着脱可能な構造でリア部１２に固定される。
【００３３】
固定部５ａは、錘部２ａ、錘首部３ａおよび支持部４ａが中空１９内に挿入された状態で、リア部１２の貫通孔１２１に螺合可能に固定される。なお、固定部５ａは、図１等に螺合取り外し可能とする一例で示しているが、着脱交換しない場合には、例えばリア部１２の貫通孔１２１に溶接されて固定されてもよい。
【００３４】
例えば、ゴルフクラブヘッドがドライバー用等で中空構造の場合において、中空１９がヘッド部分を形成する壁面（フェース部１１、リア部１２、クラウン部１３、ソール部１４、サイド部１５）で囲まれ、フェース部１１のフェース面側以外の壁面に錘部２ａが貫通する貫通孔１２１が設けられる。なお、固定部５ａが設けられる最適な壁面は、図１等に示すように、フェース部１１のフェース面と対向する側のリア部１２側の壁面である。
【００３５】
中空１９がヘッド部分を形成する壁面構造で囲まれるゴルフクラブへッド１Ａにおいて、図３に示すように、フェース面側と対向する面側の壁面構造（図３のリア部１２）には、錘部２ａ、錘首部３ａおよび支持部４ａが壁面外から中空１９内へ挿入可能な貫通孔１２１が設けられる。
【００３６】
ターゲットスタビライザー１０Ａにおいて、貫通孔１２１を介して、錘部２ａ、錘首部３ａおよび支持部４ａをゴルフクラブへッド１Ａの中空１９に挿入可能である。
【００３７】
貫通孔１２１に螺合可能に着脱する構造において、ターゲットスタビライザー１０Ａを取り付けない場合には、貫通孔１２１を塞ぐ閉塞する蓋部を取り付け可能である。
【００３８】
以上のような構成により、ターゲットスタビライザー１０Ａは、図４に示すように、ゴルフボール９がフェース面で打接された際に、中空１９内で振り子動作を行う。この振り子動作の支点は支持部４ａであり、振り子動作の変位ΔＧＷＪは、主にフェース面を基準にした錘部２ａの変位が振り子動作としての変位幅である。
【００３９】
なお、振り子動作の最大変位幅は、錘部２ａの重さ、ゴルフボール９のインパクト時のゴルフクラブヘッド１Ａのスピード、スウィング方向ＤＩＲ１とフェース面の角度等による。また、振り子動作は、時間と共に減衰する。
【００４０】
本実施形態のゴルフクラブへッド１Ａによれば、図１乃至図３に示すようなターゲットスタビライザー１０Ａを備えることにより、ゴルフボール９と打接するフェース部１１のすぐ後に位置する重心Ｇｗとなる。ターゲットスタビライザー１０Ａの先端側（フェース部１１側）があるため、歪み、撓みによって原因となる共振を抑えることができる。
【００４１】
次に、図５にゴルフクラブヘッド１Ａのスウィング時における動作を説明する図を示し、また、図６にゴルフクラブヘッド１Ａのインパクト時における動作を説明する図を示す。
【００４２】
例えば、ゴルファーは、図５にスウィング時（インパクト前）における動作では、ゴルフボール９をスウィング方向ＤＩＲ１へ飛球させるようにスウィングしている。
【００４３】
ここで、多くのゴルファーにとって課題となることは、前述したように、ゴルフボール９へのインパクトの瞬間に、スウィング方向ＤＩＲ１に対してフェース部１１のフェース面が開き気味の動作（図１４で説明した動作）、又は、フェース面がかぶり気味の動作となってしまうことである。
【００４４】
そこで、本実施形態のゴルフクラブへッド１Ａを用いると、例えば図６に示すような動作により、ゴルフボール９の飛球方向等を修正できることを示す。例えば、図６に示すフェース部１１は、フェース面がスウィング方向ＤＩＲ１に対して開き気味にゴルフボール９へインパクトされた瞬間を示すものである。
【００４５】
図５に示すように、ゴルファーのスウィング動作によりゴルフクラブへッド１Ａにおいて、スウィング方向ＤＩＲ１へ錘部２ａには慣性力Ｆ１が働く。これにより、ゴルファーが、フェース部１１のフェース面が狙った方向と少し違っていても、ゴルフボール９へのインパクトの瞬間、ターゲットスタビライザー１０Ａの錘部２ａには、例えば図６に示すように慣性力Ｆ１と、固定部５ａ及び支持部４ａを介して衝撃力Ｆ２とが合成されて、錘部２ａに作用する力Ｆ３がかかる。
【００４６】
この錘部２ａに作用する力Ｆ３は、ゴルフクラブへッド１Ａの重心Ｇｗに対しての揺り戻しの回転方向Ｒ３（重心を通る鉛直線の回りの回転）を生じさせる。また、錘部２ａに作用する力Ｆ３による回転方向Ｒ３は、ゴルフボール９からの衝撃力Ｆ２による回転方向Ｒ２と反対向きの回転である。
【００４７】
また、錘部２ａに作用する力Ｆ３による回転方向Ｒ３により、ゴルフボール９の飛球方向を修正することができる。すなわち、スウィング方向ＤＩＲ１に沿った軌道修正方向ＤＩＲ１〜ＤＩＲ３へゴルフボール９の飛球方向を修正することができる。ここで、図６に示す飛球方向ＤＩＲ２は、ゴルフボール９の飛球方向を修正しないと仮定した場合の一例を示すものである。
【００４８】
なお、図６では、フェース部１１のフェース面がスウィング方向ＤＩＲ１に対して開き気味の動作の場合について説明したが、フェース面がかぶり気味の動作の場合についても、前述した方向と逆方向の動作となるようなスウィング方向ＤＩＲ１に沿った軌道修正方向へゴルフボール９の飛球方向を修正することができる。
【００４９】
また、本実施形態のゴルフクラブへッド１Ａにおいて、錘首部３ａには弾力性・復元力があるため、ゴルフクラブへッド１Ａの中空１９内でターゲットスタビライザー１０Ａが揺れることで、ゴルフクラブへッド１Ａの振動エネルギーを吸収する（振動の応答を低減する）ことができるため、ゴルフボール９の飛距離も長くすることができる。
【００５０】
ここで、図７に、本発明に係るゴルフクラブヘッドの構造ではない例として（効果のないターゲットスタビライザーの用い方）、ゴルフクラブへッド１Ｘのインパクト時における動作を説明する図を示す。
【００５１】
ゴルフクラブへッド１Ｘは、図７に示すように、図１等に示すターゲットスタビライザー１０Ａと同様な構造のターゲットスタビライザー１０Ｘを備えるものとする。以下、この図７に示すターゲットスタビライザー１０Ｘが、第１の実施形態のターゲットスタビライザー１０Ａと後述するような作用の相違があることを説明する。
【００５２】
ターゲットスタビライザー１０Ｘは、ゴルフクラブへッド１Ｘのフェース部１１の壁面側に固定される。ターゲットスタビライザー１０Ｘは、錘部２ｘと、錘首部３ｘと、支持部４ｘと、固定部５ｘとを有する。
【００５３】
図７に示す例では、ゴルファーが、例えばスウィング方向ＤＩＲ１に対してフェース部１１のフェース面が狙った方向と違っていた場合を示す。例えば、図７に示すフェース部１１は、フェース面がスウィング方向ＤＩＲ１に対して開き気味にゴルフボール９へインパクトされた瞬間を示すものである。
【００５４】
図７に示すゴルフボール９へのインパクトの瞬間、ターゲットスタビライザー１０Ｘの錘部２ｘには、慣性力Ｆ１と、支持部４ｘ及び固定部５ｘを介して衝撃力Ｆ２ｘとが合成されて、錘部２ｘに作用する力Ｆ３ｘがかかる。錘部２ｘに作用する衝撃力Ｆ２ｘによる回転方向Ｒ２ｘは、ゴルフボール９からの衝撃力Ｆ２ｘによる回転方向Ｒ２ｘの回転である。
【００５５】
また、錘部２ｘに作用する力Ｆ３ｘは、錘首部３ｘを介して固定部５ｘを支点として、ゴルフクラブへッド１Ａに対して回転方向Ｒ３ｘを生じさせる。この錘部２ｘに作用する力Ｆ３ｘによる回転方向Ｒ３ｘは、フェース面をスウィング方向ＤＩＲ１に対して、飛球方向ＤＩＲ３ｘへとさらに開き気味に作用する力となってしまう。すなわち、ターゲットスタビライザー１０Ｘを用いなかったとした場合の飛球方向ＤＩＲ２よりも、軌道を悪い方向へ作用させてしまう。
【００５６】
本実施形態のゴルフクラブへッド１Ａと異なり、図７に示すゴルフクラブへッド１Ｘに示す構造では、図１等に示す本実施形態のゴルフクラブへッド１Ａのような作用及び効果を得ることはできない。
【００５７】
すなわち、本発明に係るターゲットスタビライザーは、ゴルフクラブへッドのどの壁面に固定してもよいわけでなく、上述したように、フェース面側はかえって悪い方向へ作用する。本発明に係るターゲットスタビライザーにおいて、好ましくは、ゴルフボール９を打接するフェース面側と対向する面側（リア部１２側）に固定部が設けられることが、最も効果を有する構造である。
【００５８】
以上説明したように、本発明に係る実施形態のゴルフクラブヘッド１Ａには、例えばチタン材料を用いて、クラブの最後部より最前部（フェース面側）に伸びたチタン製の錘首部３ａの最前部に比重の大きい錘部２ａを配置する。また、錘部２ａのウェイトは、ゴルファーのスウィングスピード、スウィングフォーム、体力などの個々の条件に応じて、選択するようにできるようにする。錘部２ａは、例えば金、タングステン等の小さい形状でも、質量の大きいものが好ましい。
【００５９】
また、ゴルフクラブヘッド１Ａのスウィートスポットの後方へ配置したウェイト（錘部２ａ）による慣性力および弾性体（錘首部３ａ）の弾性力により、飛球方向の軌道修正およびゴルフクラブヘッド１Ａの振動の応答を低減することができる。
【００６０】
また、ターゲットスタビライザー１０Ａは、スウィング中に脱落しない構造とされる。例えば、ターゲットスタビライザー１０Ａの取り付け方法は、前述した固定部５ａのように、ヘッド部分の壁面に螺合する着脱可能とする構造（錘なしも選択可能とする）の他に、溶接、ネジ止め等して固定してもよい。
【００６１】
ターゲットスタビライザー１０Ａが、ゴルフクラブヘッド１Ａの撓みを抑えてエネルギーを無駄なく、ゴルフボール９に伝えることができる。また、ゴルフクラブへッド１Ａがゴルフボール９に当たる瞬間、ゴルフクラブへッド１Ａのフェース面がスウィング方向の軌道から外れた場合でも、ターゲットスタビライザー１０Ａが、ゴルフボール９の飛球方向をスウィング方向と平行近くなるように作用する。
【００６２】
以上のような効果により、例えば長年ゴルフをしているのにスコアが伸びないゴルファーや、飛距離・飛球方向に自信のないゴルファー等にとって、飛距離が伸びて、スウィング方向への飛球方向の正確性が高くなる。
【００６３】
以上説明したように、本実施形態のゴルフクラブヘッドによれば、飛距離が伸びて、スウィング方向への飛球方向の正確性が高くなる。
【００６４】
［第２の実施形態］
第２の実施形態のゴルフクラブヘッドの構成について、図８を用いて説明する。ここで、図８（ａ）および（ｂ）は、第２実施形態のゴルフクラブヘッド１Ｂの構成を示す斜視図およびＸＩ−ＸＩ矢視線断面図である。
【００６５】
ターゲットスタビライザー１０Ｂは、フェース部１１のフェース面側を基準にして、スウィング動作時に中空１９内で振り子動作する。また、ターゲットスタビライザー１０Ｂは、スウィング動作及びゴルフボール９へのインパクトに応じて、錘位置を可動する構造である。このために、ターゲットスタビライザー１０Ｂは、図８（ａ）および（ｂ）に示すように、錘部２ｂ、錘首部３ｂ、錘係止部６ｂ、支持部４ｂおよび固定部５ｂを有する。
【００６６】
錘部２ｂには、中空１９内で錘部２ｂの重心の位置を可変となるように、錘首部３ｂの長手方向に沿って貫通孔２１ｂが設けられる。
【００６７】
錘部２ｂには、錘首部３ｂにおける棒状の外径よりも大きい内径の貫通孔２１ｂが設けられている。錘部２ｂは、錘首部３ｂに貫通された状態で、支持部４ｂと錘係止部６ｂとの間を移動可能に挿環されている。例えば、錘部２ｂの移動可能距離は、図８（ｂ）に示すように、最大距離Ｌｍである。
【００６８】
錘係止部６ｂは、錘首部３ｂに貫通された状態の錘部２ｂをフェース部１１側の壁面手前で係止するためのストッパーとなる。錘係止部６ｂの外径は、貫通孔２１ｂの孔径よりも大きく形成される。また、錘部２ｂが慣性力を伴い、錘係止部６ｂへ衝突した場合にも、錘部２ｂを十分に受け止める形状とされる。例えば、図８および図９に示す錘係止部６ｂは、円盤形状とした一例である。
【００６９】
次に、第２の実施形態のゴルフクラブヘッド１Ｂのスウィング時およびインパクト時における動作について、図９（ａ）および（ｂ）を用いて、説明する。ここで、図９（ａ）は、第２の実施形態のゴルフクラブヘッド１Ｂにおいて、第１の実施形態のゴルフクラブヘッド１Ａの図５に対応し、また、図９（ｂ）は、同じく図６に対応する。
【００７０】
ゴルフクラブヘッド１Ｂのスウィング時（インパクト前の動作）には、例えば図９（ａ）に示すように、錘部２ｂは支持部４ｂ寄りに位置する。図９（ａ）に示す錘部２ｂの位置において、ゴルフクラブヘッド１Ｂ全体の重心深度はもっとも深くなる。これにより、スイートスポットのスイートエリアがより広くなるため、よりゴルフボール９に当たった場合の飛距離を長くすることができる。
【００７１】
また、フェース部１１におけるゴルフボール９のインパクトの瞬間には、例えば図９（ｂ）に示すように、錘部２ｂに慣性力が働くため、錘部２ｂは錘首部３ｂを移動して錘係止部６ｂに衝突する。
【００７２】
錘部２ｂの錘係止部６ｂへの衝突により作用する力Ｒ１ｂも、ゴルフクラブヘッド１Ｂの反発力に加わる。さらに、図６の例と同様に、フェース部１１のフェース面が開き気味の角度でゴルフボール９のインパクトされた場合には、図９（ｂ）に示すように、錘部２ｂの錘係止部６ｂに位置した後に、回転力Ｒ２ｂが作用して、フェース部１１のフェース面が開き気味の角度を逆方向へ戻すように働く。なお、図９（ｂ）に示す回転力Ｒ２ｂを内向き方向の力とし、その反対方向の力を外向き方向の力とする。
【００７３】
以上説明したように、ターゲットスタビライザー１０Ｂにより、フェース部１１のフェース面がスウィング方向に対して外向き方向に開いた角度の場合に、内向き方向へ修正する力が働くため、ゴルフボール９の飛球方向を修正することができる。また、フェース部１１のフェース面がスウィング方向に対して内向き方向に開いた角度の場合には、外向き方向へ修正する力が働き、ゴルフボール９の飛球方向を修正することができる。
【００７４】
また、本実施形態のゴルフクラブへッド１Ｂにおいて、錘首部３ｂが弾性・復元性のあるため、ゴルフクラブへッド１Ｂの中空１９内でターゲットスタビライザー１０Ｂが揺れることで、ゴルフクラブへッド１Ｂの振動の応答を低減することができる。
【００７５】
さらに、例えば、実施形態のターゲットスタビライザー１０Ａでは、錘部２ａに４０ｇ程度の重さであったのが、本実施形態のターゲットスタビライザー１０Ｂでは、例えば錘部２ｂに２０ｇ程度の重さで同様の効果（飛距離等）を得ることができる。すなわち、錘部の重さを軽減することができる。
【００７６】
以上説明したように、本実施形態のゴルフクラブヘッドによれば、飛距離が伸びて、スウィング方向への飛球方向の正確性が高くなる。
【００７７】
［第３の実施形態］
第３の実施形態のゴルフクラブヘッドの構成について、図１０および図１１を用いて説明する。ここで、図１０（ａ）および（ｂ）は、第３の実施形態のゴルフクラブヘッド１Ｃの構成を示す斜視図およびＸＩＩ−ＸＩＩ矢視線断面図である。また、図１１（ａ）および（ｂ）は、第３の実施形態のゴルフクラブヘッド１Ｃに備えられるターゲットスタビライザー１０Ｃの構造および取り付けを説明する拡大図である。
【００７８】
ターゲットスタビライザー１０Ｃは、フェース部１１のフェース面側を基準にして、スウィング動作時に中空１９内で振り子動作する。また、ターゲットスタビライザー１０Ｃにおいて、後述するような構造によりゴルフクラブヘッド１Ｃの中空１９内での錘部２ｃの重心ＧＷＭの位置を調整することができる。
【００７９】
ターゲットスタビライザー１０Ｃにおいて、フェース部１１のフェース面側と対向するリア部１２ｃの壁面側の垂直方向の軸を中心として、回転対称に取り付けおよび固定可能なように、当該回転対称の位置決めを複数の区分の凹凸形状による嵌合構造を有する。このために、ターゲットスタビライザー１０Ｃは、図１０および図１１に示すように、錘部２ｃ、錘首部３ｃ、支持部４ｃおよび固定部５ｃを有する。
【００８０】
錘部２ｃは、中空１９内でゴルフクラブヘッド１Ｃの重心ＧＷ（図示しない）を変位可能となるように、錘首部３ｃに接続され、支持される。錘部２ｃは、ゴルフクラブヘッド１Ｃの全体における重心を調整し、前述したように、ゴルフクラブヘッド１Ｃのゴルフボール９への打接時のインパクト、振動、回転等に作用する補助手段として機能する。
【００８１】
図１０（ｂ）に示すように、固定部５ｃの壁面に対して垂直方向を基準として、錘首部３ｃの棒状の軸線が傾斜角度θｃを成して傾斜している。錘首部３ｃは、固定部５ｃの壁面に対する垂直方向から０度より大きく９０度より小さい傾斜角度θｃを成して、支持部４ｃに接続される。
【００８２】
支持部４ｃは、錘首部３ｃを支持する。このために、支持部４ｃは、錘首接続部４１ｃと切欠嵌合部４２ｃとを有する。
【００８３】
また、リア部１２ｃには、支持部４ｃ及び固定部５ｃを固定するために、当該回転対称の位置決めを複数の区分の凹凸形状による嵌合構造と対応する、留蓋螺合部１２１ｃ、支持嵌合部１２２ｃおよび支持環状部１２３ｃを有する。
【００８４】
支持部４ｃの切欠嵌合部４２ｃと、支持嵌合部１２２ｃとが、互いに凹凸部分を噛み合うように嵌合する。これらの互いの凹凸部分は、リア部１２ｃの壁面側の垂直方向の軸を中心として回転対称に取り付けおよび固定可能なように、当該回転対称の位置決めを複数の区分の凹凸形状による嵌合構造で定める。
【００８５】
支持部４ｃの錘首接続部４１ｃは、切欠嵌合部４２ｃと支持嵌合部１２２ｃとが嵌合状態において、支持環状部１２３ｃにより外径を囲われて強固に支持される。これにより、錘首部３ｃと支持部４ｃとの接続部分にかかる力を、リア部１２ｃの壁面側からも補強することができる。
【００８６】
固定部５ｃは、留蓋螺合部１２１ｃに螺合する。固定部５ｃは、例えばマイナスドライバー等の工具により、留蓋螺合部１２１ｃに締結、又は、留蓋螺合部１２１ｃから弛緩可能とされる。
【００８７】
次に、図１２を参照して、第３の実施形態のゴルフクラブヘッド１Ｃに備えられるターゲットスタビライザー１０Ｃの取り付け位置と錘部２ｃの重心ＧＷＭの位置を可変可能であることを説明する。なお、図１２は、ターゲットスタビライザー１０Ｃの取り付け位置に対応した、フェース面側から透視したゴルフクラブヘッド１Ｃ内の錘部２ｃの重心ＧＷＭの位置の軌跡を示すものである。
【００８８】
図１２に示すように、前述したターゲットスタビライザー１０Ｃにおけるリア部１２ｃに対する傾斜角度θｃと、リア部１２ｃの壁面側の垂直方向の軸を中心として回転対称の位置決めを複数の区分の凹凸形状による嵌合構造により、錘部２ｃの重心ＧＷＭの位置を可変可能である。
【００８９】
以上のようなゴルフクラブヘッド１Ｃを用いることにより、ゴルファーごとの自分のスウィングの癖や、体力などに応じて、ターゲットスタビライザー１０Ｃの錘部２ｃの重心ＧＷＭの位置を変更することができる。
【００９０】
また、本実施形態のターゲットスタビライザー１０Ｃは、第１の実施形態のターゲットスタビライザー１０Ａと同様に、ゴルフボール９がフェース面で打接された際に、中空１９内で振り子動作を行う。
【００９１】
以上により、例えば長年ゴルフをしているのにスコアが伸びないゴルファーや、飛距離・飛球方向に自信のないゴルファー等にとって、飛距離が伸びて、スウィング方向への飛球方向の正確性が高くなる。
【００９２】
以上説明したように、本実施形態のゴルフクラブヘッドによれば、飛距離が伸びて、スウィング方向への飛球方向の正確性が高くなる。
【００９３】
［第４の実施形態］
第４の実施形態のゴルフクラブヘッドの構成について、図１３を用いて説明する。ここで、図１３は、第４の実施形態のゴルフクラブヘッド１Ｄの構成を示す斜視図である。
【００９４】
図１３に示すゴルフクラブのゴルフクラブヘッド１Ｄは、空孔１９ｄを有するパターの一例である。ゴルフクラブヘッド１Ｄが、ターゲットスタビライザー１０Ｄを備えた一例を示すものである。
【００９５】
図１３に示す空孔１９ｄは、例えばフェース部１１ｄ、リア部１２ｄ、サイド部１５ｄのフレーム枠で囲まれ、上面および下面の方向には壁面で囲まれていない例である。なお、例えば、上面には壁面がなく、下面には壁面があるゴルフクラブヘッドであってもよい。
【００９６】
ターゲットスタビライザー１０Ｄは、フェース部１１ｄのフェース面側を基準にして、スウィング動作時に空孔１９ｄ内で振り子動作する。このために、ターゲットスタビライザー１０Ｄは、図１３に示すように、錘部２ｄ、錘首部３ｄ、支持部４ｄおよび固定部５ｄを有する。
【００９７】
ゴルフクラブヘッド１Ｄにおいて、空孔１９ｄ内にターゲットスタビライザー１０Ｄが、図１３に示す破線矢印のように、振り子動作可能なように取り付けられる。
【００９８】
パター等のようなゴルフクラブの場合には、飛距離を伸ばすことよりも、主に方向性を重視する目的とするものであり、その点、本実施形態のゴルフクラブヘッド１Ｄは、スウィング方向に対するゴルフボール９の飛球方向性の精度をよくすることができる。
【００９９】
以上説明したように、本実施形態のゴルフクラブヘッドによれば、飛距離が伸びて、スウィング方向への飛球方向の正確性が高くなる。
【０１００】
［他の実施形態］
以上、本発明の実施形態を説明したが、これらの実施形態は、例として提示したものであり、発明の範囲を限定することは意図していない。また、例えば各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【０１０１】
１Ａ、１Ｂ、１Ｃ、１Ｄ、１Ｘ…ゴルフクラブヘッド、２ａ、２ｂ、２ｃ、２ｄ、２ｘ…錘部、３ａ、３ｂ、３ｃ、３ｄ、３ｘ…錘首部、４ａ、４ｂ、４ｃ、４ｄ、４ｘ…支持部、５ａ、５ｂ、５ｃ、５ｄ、５ｘ…固定部、６ｂ…錘係止部、９、９０…ゴルフボール、１０Ａ、１０Ｂ、１０Ｃ、１０Ｄ、１０Ｘ…ターゲットスタビライザー、１１、１１ｄ、１１０…フェース部、１２、１２ｃ、１２ｄ、１２０…リア部、１３、１３０…クラウン部、１４、１４０…ソール部、１５、１５ｄ…サイド部、１９…中空、１９ｄ…空孔、３１、３１０…ネック、３２…シャフト接続部、３３、３３０…シャフト、４１ｃ…錘首接続部、４２ｃ…切欠嵌合部、１２１…貫通孔、１２１ｃ…留蓋螺合部、１２２ｃ…支持嵌合部、１２３ｃ…支持環状部
【図１】
2018143705.tif 000003
【図２】
2018143705.tif 000004
【図３】
2018143705.tif 000005
【図４】
2018143705.tif 000006
【図５】
2018143705.tif 000007
【図６】
2018143705.tif 000008
【図７】
2018143705.tif 000009
【図８】
2018143705.tif 000010
【図９】
2018143705.tif 000011
【図１０】
2018143705.tif 000012
【図１１】
2018143705.tif 000013
【図１２】
2018143705.tif 000014
【図１３】
2018143705.tif 000015
【図１４】
2018143705.tif 000016
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
中空又は空孔が設けられるゴルフクラブへッドにおいて、
前記中空又は空孔内で前記ゴルフクラブヘッドの重心を変位可能とするための錘部と、
弾力性を有する素材が用いられ、かつ、長手方向に伸縮構造でない棒状に形成され、前記錘部に接続される錘首部と、
前記錘首部の前記錘部に接続された側と他方の側に接続され、前記錘部および前記錘首部を支持する支持部と、
ゴルフボールを打接するフェース面側と対向する面側に設けられ、前記支持部を当該面側に固定する固定部と、を有するターゲットスタビライザーを備え、
前記ゴルフボールが前記フェース面で打接された場合に、前記ターゲットスタビライザーにおいて前記中空又は空孔内で前記錘部が前記フェース面側に衝突しない間隔を保ち、前記支持部を支点側として前記錘首部の弧状のしなりの形成により前記錘部が前記フェース面に沿って円弧状の振り子動作可能である
ことを特徴とするゴルフクラブへッド。
【請求項２】
前記錘部は、前記中空又は空孔内における前記錘部の重心の位置を可変となるように前記錘首部の長手方向に沿って貫通孔が設けられた
ことを特徴とする請求項１に記載のゴルフクラブへッド。
【請求項３】
前記ターゲットスタビライザーは、前記円弧状の振り子動作前の静止状態において、前記フェース面に対して前記錘首部の前記棒状の軸線が傾斜している
ことを特徴とする請求項１又は請求項２に記載のゴルフクラブへッド。
【請求項４】
前記フェース面側と対向する面側と前記支持部とは、前記フェース面側と対向する面側の垂直方向の軸を中心として回転対称に取り付けおよび固定可能なように、当該回転対称の位置決めを複数の区分の凹凸形状による嵌合で定める
ことを特徴とする請求項３に記載のゴルフクラブへッド。
【請求項５】
前記錘部、前記錘首部および前記支持部が前記中空又は空孔内に挿入可能な、前記フェース面側と対向する面側の壁面構造に貫通孔が設けられ、
前記固定部は、前記貫通孔が設けられた前記壁面構造に螺合可能に固定される
ことを特徴とする請求項１乃至請求項４のいずれか一項に記載のゴルフクラブへッド。
【請求項６】
前記錘首部の前記弾力性を有する素材は、チタン又はチタン合金からなる
ことを特徴とする請求項１乃至請求項５のいずれか一項に記載のゴルフクラブへッド。
【手続補正２】
【補正対象書類名】明細書
【補正対象項目名】００１４
【補正方法】変更
【補正の内容】
【００１４】
上記課題を解決するために、本発明に係るゴルフクラブへッドは、中空又は空孔が設けられるゴルフクラブへッドである。当該ゴルフクラブへッドは、前記中空又は空孔内で前記ゴルフクラブヘッドの重心を変位可能とするための錘部と、弾力性を有する素材が用いられ、かつ、長手方向に伸縮構造でない棒状に形成され、前記錘部に接続される錘首部と、前記錘首部の前記錘部に接続された側と他方の側に接続され、前記錘部および前記錘首部を支持する支持部と、ゴルフボールを打接するフェース面側と対向する面側に設けられ、前記支持部を当該面側に固定する固定部と、を有するターゲットスタビライザーを備えている。当該ゴルフクラブへッドにおいて、前記ゴルフボールが前記フェース面で打接された場合に、前記ターゲットスタビライザーにおいて前記中空又は空孔内で前記錘部が前記フェース面側に衝突しない間隔を保ち、前記支持部を支点側として前記錘首部の弧状のしなりの形成により前記錘部が前記フェース面に沿って円弧状の振り子動作可能であることを特徴とする。